(57)【要約】【課題】ＲＦＩＤタグ非内蔵の携帯型情報端末であっても、ＲＦＩＤタグ内蔵型の携帯型情報端末と略同じ環境を利用者に提供する。【解決手段】ＩＤカード発行装置５０であって、複数の情報入力キーにより、携帯型情報端末を識別する識別情報の入力を受け付ける情報入力部１１、識別情報が一時的に格納されるメモリ部１２、携帯型情報端末に付随可能且つＲＦＩＤタグを内蔵するＩＤカード、ＩＤカードと通信してＲＦＩＤタグと情報を通信するリーダライタ部１３、メモリ部に格納されている識別情報、又はリーダライタ部１３によって読み取ったＩＤカード固有のＩＤ情報を、通信回線を介して管理サーバに送信する送信部１４を備えるようにし、利用者に識別情報の入力を促して、携帯型情報端末に付随させる為のＩＤカードを発行するようにした。【選択図】図３
2009301080.tif 000002
【特許請求の範囲】
【請求項１】
複数の情報入力キーにより、携帯型情報端末を識別する識別情報の入力を受け付ける情報入力部と、
前記識別情報が一時的に格納されるメモリ部と、
前記携帯型情報端末に付随可能且つＲＦＩＤタグを内蔵するＩＤカードと通信して、前記ＲＦＩＤタグと情報を通信するリーダライタ部と、
前記メモリ部に格納されている前記識別情報、又は前記リーダライタ部によって読み取った前記ＩＤカード固有のＩＤ情報を、通信回線を介して管理サーバに送信する送信部と、を備え、
利用者に前記識別情報の入力を促して、前記携帯型情報端末に付随させる為の前記ＩＤカードを発行することを特徴とするＩＤカード発行装置。
【請求項２】
前記リーダライタ部は、前記メモリ部に格納されている前記識別情報を前記ＲＦＩＤタグに記録することを特徴とする請求項１記載のＩＤカード発行装置。
【請求項３】
前記送信部は、前記識別情報を前記管理サーバに送信するようにし、更に、
前記管理サーバによる前記識別情報の存否確認に関する情報を、通信回線を介して受信する確認部を備え、
前記リーダライタ部は、前記確認部における前記存否確認に関する情報に基づいて、前記ＩＤカードに発行承認情報を記録することを特徴とする請求項２に記載のＩＤカード発行装置。
【請求項４】
前記リーダライタ部は、前記発行承認情報として前記識別情報を前記ＲＦＩＤタグに記録することを特徴とする請求項３に記載のＩＤカード発行装置。
【請求項５】
前記ＩＤカードは、前記携帯型情報端末に付随するためのストラップコードを有することを特徴とする請求項１乃至４のいずれかに記載のＩＤカード発行装置。
【請求項６】
前記ＩＤカードは、前記携帯型情報端末の外表面に付着するための粘着層を有することを特徴とする請求項１乃至５のいずれかに記載のＩＤカード発行装置。
【請求項７】
請求項１乃至６のいずれか記載のＩＤカード発行装置と、
前記ＩＤカード発行装置と通信可能な前記管理サーバと、
広告パネル装置と、を備え、
前記広告パネル装置は、
携帯型情報端末に付随される前記ＩＤカードに対応したパネル側リーダ部と、
前記パネル側リーダ部によって前記ＩＤカードから読み取った前記ＩＤ情報又は前記識別情報を、通信回線を介して前記管理サーバに送信するするパネル側送信部と、を備え、
前記管理サーバは、
前記ＩＤカード発行装置の前記送信部から送信された前記ＩＤ情報又は前記識別情報を格納するカード情報記憶部と、
前記パネル装置の前記パネル側送信部から送信された前記識別情報又は前記ＩＤ情報と、前記カード情報記憶部に格納されている前記識別情報又は前記ＩＤ情報とを照合する認証部と、
前記認証部で認証された場合に、前記識別情報に基づいて前記携帯型情報端末に広告情報を送信する情報送信部と、を備える
ことを特徴とする広告情報配信システム。
【請求項８】
前記広告パネル装置は、広告情報が表示される広告パネルを備え、
前記広告パネルの背面側に前記パネル側リーダ部が配設されていることを特徴とする請求項７に記載の広告情報配信システム。
【請求項９】
前記広告パネル装置の前記広告パネルは導光板で構成されており、
前記広告パネルの側縁には、前記広告パネル内に光を供給する照明装置が配設され、
前記広告パネルが、前記照明装置の光を前面側に反射させることにより、前記パネル側リーダ部を非視認状態とすることを特徴とする請求項８記載の広告情報配信システム。
【請求項１０】
前記広告パネルには、複数の広告情報が表示されており、
前記パネル側リーダ部は、前記広告情報に対応して前記広告パネルの背面側に複数配置されていることを特徴とする請求項８又は９に記載の広告情報配信システム。
【発明の詳細な説明】
【技術分野】
【０００１】
本発明は、ＲＦＩＤタグを内蔵したＩＤカードを発行するＩＤカード発行装置及び、該装置を利用した広告情報配信システムに関する。
【背景技術】
【０００２】
近年、携帯電話やノート側ＰＣ等に代表される携帯型端末として、ＲＦＩＤタグが予め内蔵されたものが販売されている。例えば、ＲＦＩＤタグが内蔵された携帯電話は、電子マネー情報を格納することができ、この携帯電話を、店頭のリーダライタにかざすだけで、買い物が可能となっている。更に、このＲＦＩＤタグを利用することで、携帯電話自体が、電車やバスの乗車券、社員証、電子錠（セキュリティーロック認証）として機能することができるようになっている。
【発明の開示】
【発明が解決しようとする課題】
【０００３】
しかしながら、このＲＦＩＤタグを内蔵した携帯型情報端末は、必ずしも、幅広く普及している状況ではない。従って、ＲＦＩＤタグが内蔵されていない携帯型情報端末の所有者は、電子マネーや社員証として、別途、ＲＦＩＤタグを内蔵したいわゆるＩＤカードを、財布等に保持する必要があった。
【０００４】
また、携帯型情報端末とＩＤカードは別機関によって発行・管理されるため、利用者は、ＩＤカードと携帯型情報端末は相関のないものとして認識しやすいことから、このＩＤカードを、ＲＦＩＤタグ内蔵型の携帯型情報端末のように活用することが難しいという問題があった。
【０００５】
本発明は上記問題点に鑑みてなされたものであり、ＲＦＩＤタグ非内蔵の携帯型情報端末であっても、ＲＦＩＤタグ内蔵型の携帯型情報端末と同じ環境を構築可能なＩＤカード発行装置及び、該装置を利用した広告情報配信システムを提供することを目的としている。
【課題を解決するための手段】
【０００６】
本発明者等の鋭意研究により、上記目的は以下の手段によって達成される。
【０００７】
（１）複数の情報入力キーにより、携帯型情報端末を識別する識別情報の入力を受け付ける情報入力部と、前記識別情報が一時的に格納されるメモリ部と、前記携帯型情報端末に付随可能且つＲＦＩＤタグを内蔵するＩＤカードと通信して、前記ＲＦＩＤタグと情報を通信するリーダライタ部と、前記メモリ部に格納されている前記識別情報、又は前記リーダライタ部によって読み取った前記ＩＤカード固有のＩＤ情報を、通信回線を介して管理サーバに送信する送信部と、を備え、利用者に前記識別情報の入力を促して、前記携帯型情報端末に付随させる為の前記ＩＤカードを発行することを特徴とするＩＤカード発行装置。
【０００８】
（２）前記リーダライタ部は、前記メモリ部に格納されている前記識別情報を前記ＲＦＩＤタグに記録することを特徴とする（１）記載のＩＤカード発行装置。
【０００９】
（３）前記送信部は、前記識別情報を前記管理サーバに送信するようにし、更に、前記管理サーバによる前記識別情報の存否確認に関する情報を、通信回線を介して受信する確認部を備え、前記リーダライタ部は、前記確認部における前記存否確認に関する情報に基づいて、前記ＩＤカードに発行承認情報を記録することを特徴とする（２）に記載のＩＤカード発行装置。
【００１０】
（４）前記リーダライタ部は、前記発行承認情報として前記識別情報を前記ＲＦＩＤタグに記録することを特徴とする（３）に記載のＩＤカード発行装置。
【００１１】
（５）前記ＩＤカードは、前記携帯型情報端末に付随するためのストラップコードを有することを特徴とする（１）乃至（４）のいずれかに記載のＩＤカード発行装置。
【００１２】
（６）前記ＩＤカードは、前記携帯型情報端末の外表面に付着するための粘着層を有することを特徴とする（１）乃至（５）のいずれかに記載のＩＤカード発行装置。
【００１３】
（７）（１）乃至（６）のいずれか記載のＩＤカード発行装置と、前記ＩＤカード発行装置と通信可能な前記管理サーバと、広告パネル装置と、を備え、前記広告パネル装置は、携帯型情報端末に付随される前記ＩＤカードに対応したパネル側リーダ部と、前記パネル側リーダ部によって前記ＩＤカードから読み取った前記ＩＤ情報又は前記識別情報を、通信回線を介して前記管理サーバに送信するするパネル側送信部と、を備え、前記管理サーバは、前記ＩＤカード発行装置の前記送信部から送信された前記ＩＤ情報又は前記識別情報を格納するカード情報記憶部と、前記パネル装置の前記パネル側送信部から送信された前記識別情報又は前記ＩＤ情報と、前記カード情報記憶部に格納されている前記識別情報又は前記ＩＤ情報とを照合する認証部と、前記認証部で認証された場合に、前記識別情報に基づいて前記携帯型情報端末に広告情報を送信する情報送信部と、を備えることを特徴とする広告情報配信システム。
【００１４】
（８）前記広告パネル装置は、広告情報が表示される広告パネルを備え、前記広告パネルの背面側に前記パネル側リーダ部が配設されていることを特徴とする（７）に記載の広告情報配信システム。
【００１５】
（９）前記広告パネル装置の前記広告パネルは導光板で構成されており、前記広告パネルの側縁には、前記広告パネル内に光を供給する照明装置が配設され、前記広告パネルが、前記照明装置の光を前面側に反射させることにより、前記パネル側リーダ部を非視認状態とすることを特徴とする（８）記載の広告情報配信システム。
【００１６】
（１０）前記広告パネルには、複数の広告情報が表示されており、前記パネル側リーダ部は、前記広告情報に対応して前記広告パネルの背面側に複数配置されていることを特徴とする（８）又は（９）に記載の広告情報配信システム。
【発明の効果】
【００１７】
本発明によれば、ＲＦＩＤタグ非内蔵の携帯型情報端末であっても、ＲＦＩＤタグ内蔵型の携帯型情報端末と略同じ環境を利用者に提供することが可能となる。
【発明を実施するための最良の形態】
【００１８】
以下、本発明の実施の形態を添付図面を参照して説明する。
【００１９】
図１には、本発明の実施の形態に係る広告情報配信システム１の全体構成が示されている。この広告情報配信システム１は、ＩＤカード発行装置１０と、管理サーバ２０と、広告パネル３０と、携帯型情報端末４０と、ＩＤカード５０を備えて構成される。
【００２０】
ＩＤカード発行装置１０は、利用者に対して、携帯型情報端末４０を固有に識別（特定）するための識別情報の入力を促して、携帯型情報端末４０に付随させる為のＩＤカード５０を発行するものである。ＩＤカード５０は、ストラップやシールによって携帯型情報端末４０に付随し、事後的に一体化可能となっている（詳細は後述する）。管理サーバ２０は、この広告情報配信システム１の全体の情報を管理するサーバであり、各装置と公衆通信回線網を介して通信し、情報を送受信するようになっている。広告パネル３０は広告情報を視覚的に掲示するものであり、街頭や施設内外の壁面等に設置される。
【００２１】
ＩＤカード５０は、図２（Ａ）に拡大して示されるように、ＩＣチップ等によって構成されるＲＦＩＤタグ５１と、このＲＦＩＤタグ５１に接続されるアンテナ５２と、このＲＦＩＤタグ５１及びアンテナ５２を両外面から覆う保護シート５３と、この保護シート５３に積層され、携帯型情報端末４０等の外表面に付着するための粘着層５４を有する。従って、図２（Ｂ）に示されるように、このＩＤカード５２を、粘着層５４によって、携帯型情報端末４０の背面に貼り付けることで、両者が一体され、ＲＦＩＤタグを内蔵した携帯型情報端末と同じ状態を極めて簡単につくることができる。また、図２（Ｃ）に示されうように、リーダ貼り付け部５６及びストラップコード部５７を有する携帯ストラップ５５に対して、このＩＤカード５０を貼り付けることで、この携帯ストラップ５５を介して携帯型情報端末４０とＩＤカード５０を付随（一体化）させることもできるようになっている。
【００２２】
図３に示されるように、ＩＤカード発行装置１０は、情報入力部１１と、メモリ部１２と、リーダライタ部１３と、送信部１４と、確認部１５を備える。情報入力部１１は、複数の情報入力キーを備えたキーセット１１Ａと、このキーセット１１Ａによって入力された情報を視覚的に表示する表示画面１１Ｂを有しており、携帯型情報端末４０を識別するための識別情報の入力を受け付けるようになっている。具体的に、この識別情報は、携帯型情報端末４０と電子メール形式で通信するアドレス情報が好ましく、例えば、携帯電話番号や、この携帯型情報端末４０に割り振られた電子メールアドレス等を用いる。
【００２３】
メモリ部１２は、記録媒体の一種である半導体メモリを有して構成され、情報入力部１１で入力された識別情報を受け取って、この半導体メモリに一時的に記憶する。リーダライタ部１３は、ＩＤカード５０に記録する情報や読み出す情報等を設定する制御部１３Ａと、この制御部１３Ａからの指示を受けて、ＩＤカード５０と近距離無線通信を行うカードインターフェース１３Ｂを備える。従って、このリーダライタ部１３により、ＩＤカード５０に固有に割り振られているＩＤ情報を読み取ったり、携帯型情報端末４０の識別情報をＩＤカード５０に記録したりすることができる。送信部１４は、インターネット等の公衆通信回線網と接続される通信インターフェース１４Ａを備えており、携帯型情報端末４０の識別情報やＩＤカード５０のＩＤ情報を管理サーバ２０に送信する。
【００２４】
なお、詳細は後述するが、識別情報を受信した管理サーバ２０では、その識別情報を利用して携帯型情報端末４０と通信を行い、その識別情報が適正に存在しているか否かを確認し、その結果をＩＤカード発行装置５０に送信する。この存否に関する情報は、ＩＤカード発行装置５０の通信インターフェース１４Ａを介して確認部１５で受信される。確認部１５は、管理サーバ２０から識別情報の存在確認が示された場合に限り、リーダライタ部１３に対してカード発行承認情報を送信し、識別情報をＩＤカード５０に記録するよう指示する。本実施形態では、発行承認情報として識別情報を用い、ＩＤカード５０に記録することで発行を完了させる。つまり、識別情報が記録されたＩＤカード５０は、正式に発行されたものであることを意味する。識別情報の存在が確認できない場合、確認部１５は、リーダライタ部１３に対してカード発行中止情報を送信し、発行作業を中止するように指示する。
【００２５】
図４（Ａ）に示されるように、広告パネル装置３０は、平面版状で外表面に広告情報が表示される広告パネル３１と、この広告パネル３１の周縁を保持する枠体３２と、この広告パネル３１の周縁に設置されるエッジ照明装置３３と、広告パネル３１の背面に設置されるパネル側リーダ部３４と、このパネル側リーダ部３４に接続されるパネル側送信部３５を備える。
【００２６】
広告パネル３１は、光透過性の合成樹脂板であり、背面側に光乱反射層３１Ａが形成されている。この広告パネル３１の表面側には広告情報３１Ｂが印刷され、全面を通過する人に対して広告情報３１Ｂを提示する。また、この広告情報３１Ｂには、背面側のパネル側リーダ部３４に対応する部位にタッチ領域３１Ｃが形成されており（図４（Ｂ）参照）、利用者が、携帯型情報端末４０と一緒にＩＤカード５０を接近させることで、対応するパネル側リーダ部３４がＩＤカード５０内に格納されている識別情報を読み取ることが可能となっている。
【００２７】
エッジ照明装置３３は、ＬＥＤや蛍光管を利用した照明装置であり、広告パネル３１の側縁に光を入射させる。既に述べたように、広告パネル３１は導光板として機能するので、この光は広告パネル３１内を通過して全体に広がる。この光は、背面側の光乱反射層３１Ａによって適宜反射されて、パネル前面側に放出される。この結果、広告情報３１Ｂ全体が光るようになっている。また、この広告パネル３１自信が、前面側に光を放出することから、背面側に配置されているパネル側リーダ部３４の存在が、パネル前面から視認できないようになっている。
【００２８】
パネル側リーダ部３４は、タッチ領域３１Ｃに接近されたＩＤカード５０と、広告パネル３１を介在させた状態で近距離通信し、識別情報やＩＤ情報を読み取るようになっている。このパネル側リーダ部３４は、ＩＤカード５０の識別情報やＩＤ情報、及びパネル側リーダ部３４自身を識別するリーダ情報をパネル側送信部３５に伝える。パネル側送信部３５は、インターネット等の公衆通信回線網に接続されており、識別情報やＩＤ情報、リーダ情報を管理サーバ２０に送信する。
【００２９】
管理サーバ２０は、ＣＰＵ等の中央演算装置、メモリやハードディスク等の記録媒体、インターネット等に接続される通信インターフェース、これらを接続するバス等を備えたいわゆる計算機である。記録媒体には、本実施形態の広告情報配信システム１を機能させるためのプログラムが格納されており、このプログラムがＣＰＵで実行されることで、以下の機能を備えることができるようになっている。
【００３０】
具体的にこの管理サーバ２０は、図５に示されるように、機能構成として、カード情報記憶部２１、認証部２２、情報送信部２３、情報チェック部２４を備える。カード情報記憶部２１は、ＩＤカード発行装置１０の送信部１４から送信されたＩＤ情報及び識別情報を、データベースに格納する。なお、情報チェック部２４は、この識別情報に基づいて、携帯型情報端末４０に対して、登録確認用の電子メールを送信し、管理サーバ２０へのアクセスを促す。この電子メールを受信した携帯型情報端末４０では、その電子メール本文内に表示されているリンクを利用して、管理サーバ２０の情報チェック部２４にアクセスすることで、情報チェック部２４は、この識別情報が実際に存在するものであるか否かを判断する。情報チェック部２４は、この存否確認に関する情報をＩＤカード発行装置５０に対して送信すると同時に、存否に関するフラグ情報を、カード情報記憶部２１に格納する。
【００３１】
認証部２２は、パネル装置３０のパネル側送信部３５から送信された識別情報及びＩＤ情報を受信し、この識別情報又はＩＤ情報と、カード情報記憶部２１に予め格納されているＩＤ情報又は識別情報と照合する。照合の結果、パネル側送信部３５から送信された識別情報及びＩＤ情報が適正に存在していると判断した場合は、情報送信部２３に対して広告情報の配信を指示する。情報送信部２３は、この指示に基づいて、パネル側リーダ部３４固有のリーダ情報に対応する広告情報を、電子メール形式によって携帯型情報端末４０に送信する。利用者は、タッチ領域３１Ｃに対して携帯型情報端末４０と一緒にＩＤカード５０を接近させることで、携帯型情報端末４０に求めていた広告情報を受信できる。
【００３２】
次に、この広告情報配信システム１の動作手順について図６の遷移図を参照しながら説明する。
【００３３】
まず、ステップＳ１０２で、利用者は、ＩＤカード発行装置５０に携帯電話番号を入力する。ステップＳ１０４では、ＩＤカード発行装置５０が、この携帯電話番号を管理サーバ２０に送信する。ステップＳ１０６において、管理サーバ２０が携帯電話番号を利用してショートメールを送信し、携帯型情報端末４０に対して管理サーバ２０へのアクセスを促す。ショートメールを受信した携帯型情報端末４０は、メールの指示に従ってインターネット経由で管理サーバ２０にアクセスする（Ｓ１０８）。携帯型情報端末側４０からの適切なアクセスを受け付けた管理サーバ２０は、ステップＳ１１０において、ＩＤカード発行装置５０に対して存否情報を送信する。なお、ここでは管理サーバ２０へのアクセスを促す場合を示すが、電子メールの返信を促すことで、その返信メールの受信によって存否確認を行うことも可能である。
【００３４】
携帯電話番号の存在が確認できた場合、ＩＤカード発行装置５０は、ＩＤカード５０を利用者に発行する（Ｓ１１２）。この際、ＩＤカード５０のＲＦＩＤタグに携帯電話番号を書き込んでおく。なお、管理サーバ２０では、この携帯電話番号をデータベースに格納しておく。利用者は、シール構造となっているＩＤカード５０を、携帯型情報端末４０の背面に貼り付けるかか、携帯ストラップ５５を利用するか選択し、いずれにしろ携帯型情報端末４０とＩＤカード５０を一体化させる。これにより、ＩＤカード発行（ユーザ登録）が完了することになる。
【００３５】
その後、利用者は、街角に掲示されている広告パネル装置３０に対して、携帯型情報端末４０及びＩＤカード５０を接近させて、ＩＤカード５０をパネル側リーダに読み取らせる（Ｓ１１４）。広告パネル装置３０は、ステップＳ１１６において、ＩＤカード５０に記録されている携帯電話番号と、広告パネル装置３０のパネル側リーダ部３４に固有に割り振られているＩＤ情報を管理サーバ２０に送信する。管理サーバ２０では、このこの携帯電話番号と、ステップＳ１０４で予め受信済みの携帯電話番号を照合させてユーザ確認を行い、そのユーザ確認が完了してから、ステップＳ１１８において、携帯型情報端末４０に対して広告情報を配信する。なお、このステップＳ１１４からステップＳ１１８は、極めて短時間に行われるため、利用者は、広告パネルに携帯型情報端末４０をかざす（ＩＤカード５０をかざす）と同時に、携帯型情報端末４０に広告情報が届くような感覚を得ることができる。特に、このＩＤカードは、ストラップコードやシール層を有することで、極めて容易に、携帯型情報端末４０と一体化することができるようになっている。
【００３６】
以上、本実施形態の広告情報配信システム１によれば、シール構造によって携帯型情報端末４０に付随可能なＩＤカード５０用いると共に、ＩＤカード発行装置１０によって、その場でこのＩＤカード５０を発行することで、ＲＦＩＤタグを内蔵していない携帯型情報端末に対して、ＲＦＩＤ内蔵型の携帯型情報端末と同様な環境を極めて短時間で提供することが可能となる。ＩＤカード５０を背面に貼り付けた携帯型情報端末４０を、様々な場所に設置されているＲＦＩＤリーダライタにかざすことで、携帯型情報端末４０に対して電子メール経由で情報を受信できる。その結果、利用者は、あたかもＲＦＩＤタグが携帯型情報端末４０に内蔵されている感覚を得ることができる。
【００３７】
また、このＩＤカード発行装置１０が、識別情報をＩＤカード５０のＲＦＩＤタグに書き込むようにした結果、街頭に設置される広告パネル装置３０が、携帯型情報端末４０の識別情報を、ＩＤカード５０から読み取ることが可能となり、携帯型情報端末４０を固有に識別して、広告情報を配信することができる。
【００３８】
なお、本実施形態においてＩＤカード５０を発行する際は、管理サーバ２０を利用して、携帯型情報端末４０と実際に通信することで、その存否確認を行うようになっている。従って、無関係の識別情報をＩＤカード発行装置１０に入力するような、いわゆるなりすまし行為を防止することが可能となっている。
【００３９】
さらに、本実施形態の広告情報配信システム１では、広告パネル装置３０の広告パネルが発光することで、広告情報を目立たせることができ、視認性の高い状態で広告情報を提供することが可能となっている。また、広告パネルの発光により、背面側のパネル側リーダ部３４を目立たなくすることができ、デザイン性の高い広告情報を提供できる。また、広告パネル装置３０は、複数のパネル側リーダ部３４を備えるようになっているので、１台の広告パネル装置３９であっても、利用者が、携帯型情報端末４０のタッチ領域を選択することで、必要な情報のみを携帯型情報端末４０に入手することが可能となる。
【００４０】
なお、本実施形態では、ＩＤカード発行装置５０が、カード発行時に、ＲＦＩＤタグに携帯電話番号（識別情報）を書き込む場合を示したが、本発明はそれに限定されない。例えば、ＩＤカード発行装置５０が、携帯型情報端末４０の識別情報とともに、発行予定のＩＤ情報をＩＤカード５０から読み取り、双方を管理サーバ２０に送信することで、管理サーバ２０側において、識別情報とＩＤ情報を対応させた状態で保持しておくことも好ましい。広告パネル装置３０は、ＩＤカード５０からＩＤ情報を読み込み、これを管理サーバ２０に送信するだけで、管理サーバ２０では、ＩＤ情報を利用して本人認証を実行し、対応する識別情報を利用して携帯型情報端末４０に対して情報配信が可能となる。これにより、ＩＤカード５０に、個人性の高い識別情報を書き込む必要がなくなるので、紛失等における安全性を高めることができる。
【００４１】
一方、本実施形態で示したように、携帯型情報端末４０の識別情報を、本人が携帯型情報端末４０に付随させて保持するＩＤカード５０に記録させておき、管理サーバ２０側では、識別情報の存否確認が終了したら識別情報を削除してしまうことも好ましい。ＩＤカード５０に識別情報を書き込んでおけば、広告パネル装置３０が、必要に応じてその識別情報をＩＤカード５０から取得することで、管理サーバ２０経由で携帯型情報端末４０に情報配信することができる。この結果、管理サーバ２０側において、個人性の高い識別情報を大量に保持する必要がなくなり、情報の管理が容易となる。つまり、管理サーバ２０では、発行済みのＩＤカード５０のＩＤ情報を保持しておくだけで十分となる。
【００４２】
なお、本実施形態のＩＤカード５０は、ＲＦＩＤタグの種類は問わず、近距離無線通信によって情報交換可能なものであればよい。また、本発明の広告情報配信システム等は、上記した実施の形態に限定されるものではなく、本発明の要旨を逸脱しない範囲内において種々変更を加え得ることは勿論である。
【産業上の利用可能性】
【００４３】
本発明は、各種情報を配信する情報配信システムに応用することが可能である。
【図面の簡単な説明】
【００４４】
【図１】本発明の実施形態にかかる広告情報配信システムの全体構成を示すシステム構成図である。
【図２】同広告情報配信システムで利用されるＩＤカードの構成を示す斜視図である。
【図３】同広告情報配信システムのＩＤカード発行装置の内部構成を示すブロック図である。
【図４】同広告情報配信システムの広告パネル装置の内部構成及び広告情報を示す図である。
【図５】同広告情報配信システムの管理サーバの内部構成を示すブロック図である。
【図６】同広告情報配信システムの動作フローを示す遷移図である。
【符号の説明】
【００４５】
１    広告情報配信システム
１０  ＩＤカード発行装置
２０  管理サーバ
３０  広告パネル装置
４０  携帯型情報端末
５０  ＩＤカード
【図１】
2009301080.tif 000003
【図２】
2009301080.tif 000004
【図３】
2009301080.tif 000005
【図４】
2009301080.tif 000006
【図５】
2009301080.tif 000007
【図６】
2009301080.tif 000008